(57)【要約】【課題】壁に背面を対向させて設置される調湿ユニットの薄型化を図る。【解決手段】ケーシング５０は、鉛直方向に沿う壁面に背面５０ｂを対向させて設置され、背面５０ｂに対向する正面５０ａを有する。吸着ロータ３２は、背面５０ｂに対する垂直方向に沿う第１回転軸３２ｄの周りで回転する。吸着用ファン３４は、垂直方向に沿う第２回転軸３４ｂの周りで回転する吸着用ファンロータ３４ａを有する。再生用ファン３５は、垂直方向に沿う第３回転軸３５ｂの周りで回転する再生用ファンロータ３５ａを有する。吸着ロータ３２と吸着用ファンロータ３４ａと再生用ファンロータ３５ａは、背面５０ｂに沿った一方向に並べて配列され、配列方向視において吸着ロータ３２と吸着用ファンロータ３４ａと再生用ファンロータ３５ａの少なくとも一部が重なるように配置されている。【選択図】図４
2018179362.tif 000002
【特許請求の範囲】
【請求項１】
鉛直方向に沿う壁面に背面を対向させて設置され、前記背面に対向する正面を有するケーシング（５０，５０Ａ，５０Ｂ，５０Ｃ）と、
前記ケーシングに収納され、前記背面に対する垂直方向に沿う第１回転軸の周りで回転する吸着ロータ（３２）と、
前記ケーシングに収納され、前記垂直方向に沿う第２回転軸の周りで回転する吸着用ファンロータ（３４ａ）を有し、前記吸着用ファンロータによって、吸着前空気を前記吸着ロータに導き、且つ第１回転軸に沿う方向に前記吸着ロータを通過することで前記吸着ロータに水分を奪われた吸着後空気を吹き出す吸着用ファン（３４）と、
前記ケーシングに収納され、前記垂直方向に沿う第３回転軸の周りで回転する再生用ファンロータ（３５ａ）を有し、前記再生用ファンロータによって、再生前空気を前記吸着ロータに導き、且つ前記第１回転軸に沿う方向に前記吸着ロータを通過することで前記吸着ロータから水分を与えられた再生後空気を吹き出す再生用ファン（３５）と
を備え、
前記吸着ロータと前記吸着用ファンロータと前記再生用ファンロータは、前記背面に沿った一方向に並べて配列され、前記吸着ロータと前記吸着用ファンロータと前記再生用ファンロータの配列方向視において前記吸着ロータと前記吸着用ファンロータと前記再生用ファンロータの少なくとも一部が重なるように配置されている、調湿ユニット。
【請求項２】
前記ケーシングは、前記垂直方向の寸法が前記背面に対して平行な方向の寸法よりも小さい、
請求項１に記載の調湿ユニット。
【請求項３】
前記ケーシングは、前記吸着前空気を取り入れる吸着前空気取入口（５２）を前記正面に有する、
請求項１または請求項２に記載の調湿ユニット。
【請求項４】
前記ケーシングは、前記再生前空気を取り入れる再生前空気取入口（５７）を前記正面に有する、
請求項３に記載の調湿ユニット。
【請求項５】
前記ケーシングは、前記再生前空気を取り入れる再生前空気取入口（５４）を、前記背面と前記正面との間の側面に有し、
前記吸着用ファンと前記再生用ファンは、前記吸着前空気の気流と前記再生前空気の気流が対向流となるように配置されている、
請求項３に記載の調湿ユニット。
【請求項６】
前記吸着ロータは、前記背面に対して斜めに配置され、
前記ケーシングの前記再生前空気取入口は、前記側面に前記吸着ロータの傾斜に沿って斜めにカットされた斜めカット部（５４ａ）を含む、
請求項５に記載の調湿ユニット。
【請求項７】
前記吸着ロータを挟んで前記再生用ファンが上に位置するとともに前記吸着用ファンが下に位置する取り付けができるように構成されている、
請求項１から６のいずれか一項に記載の調湿ユニット。
【請求項８】
室外機（２）と室内機（４）を備える空気調和装置（１）に取り付け可能に構成され、
前記ケーシングが室外に設置されて、前記再生用ファンによって前記室内機に吹き出される前記再生後空気により室内を加湿するとともに、前記吸着用ファンによって前記吸着後空気を室外に吹き出す、
請求項１から７のいずれか一項に記載の調湿ユニット。
【請求項９】
前記ケーシングは、前記室外機よりも前記室内機に近い位置に配置される、
請求項８に記載の調湿ユニット。
【請求項１０】
前記ケーシングが室内に設置されて、前記吸着用ファンによって吹き出される前記吸着後空気により室内を除湿するとともに、前記再生用ファンによって前記再生後空気を室外に吹き出す、
請求項１から７のいずれか一項に記載の調湿ユニット。
【発明の詳細な説明】
【技術分野】
【０００１】
本発明は、調湿ユニット、特に、鉛直方向に沿う壁面にケーシングの背面を対向させて設置される調湿ユニットに関する。
【背景技術】
【０００２】
従来より、室内の空気調和を行う空気調和機とは別体に構成され、空気調和機の室内機に加湿用空気を供給する加湿ユニットがある。このような加湿ユニットの中には、例えば特許文献１（特開２０１４−１２９９５０号公報）に記載されているように、室内機が取り付けられている壁に取り付けられるものもある。
【発明の概要】
【発明が解決しようとする課題】
【０００３】
しかしながら、特許文献１に記載されている加湿ユニットは、壁に取り付けられる場合に壁に開けられた貫通穴に向けて外気吸込口から、ヒータ、吸着ロータ及びファンが配置されると、加湿ユニットが厚くなって加湿ユニットが壁から大きく突出してしまう。このように加湿ユニットが壁から大きく突出する場合には、ユーザがデザイン的に受け入れ難いものとなったり、加湿ユニットの据え付け強度を確保するために加湿ユニットを採用するためのコストが増加したりする。
【０００４】
本発明の課題は、壁に背面を対向させて設置される調湿ユニットの薄型化を図ることである。
【課題を解決するための手段】
【０００５】
本発明の第１観点に係る調湿ユニットは、鉛直方向に沿う壁面に背面を対向させて設置され、背面に対向する正面を有するケーシングと、ケーシングに収納され、背面に対する垂直方向に沿う第１回転軸の周りで回転する吸着ロータと、ケーシングに収納され、垂直方向に沿う第２回転軸の周りで回転する吸着用ファンロータを有し、吸着用ファンロータによって、吸着前空気を吸着ロータに導き、且つ第１回転軸に沿う方向に吸着ロータを通過することで吸着ロータに水分を奪われた吸着後空気を吹き出す吸着用ファンと、ケーシングに収納され、垂直方向に沿う第３回転軸の周りで回転する再生用ファンロータを有し、再生用ファンロータによって、再生前空気を吸着ロータに導き、且つ第１回転軸に沿う方向に吸着ロータを通過することで吸着ロータから水分を与えられた再生後空気を吹き出す再生用ファンとを備え、吸着ロータと吸着用ファンロータと再生用ファンロータは、背面に沿った一方向に並べて配列され、吸着ロータと吸着用ファンロータと再生用ファンロータの配列方向視において吸着ロータと吸着用ファンロータと再生用ファンロータの少なくとも一部が重なるように配置されている。
【０００６】
本発明の第１観点に係る調湿ユニットにおいては、背面に沿った一方向に並べて配列されている吸着ロータと吸着用ファンロータと再生用ファンロータの配列方向視において吸着ロータと吸着用ファンロータと再生用ファンロータの少なくとも一部が重なるように配置されて比較的平らに並べられることから、配列方向視において吸着ロータと吸着用ファンロータと吸着用ファンのうちの少なくとも一つが重ならない場合の厚みに比べて薄くすることができる。
【０００７】
本発明の第２観点に係る調湿ユニットは、第１観点の調湿ユニットにおいて、ケーシングは、垂直方向の寸法が背面に対して平行な方向の寸法よりも小さい、ものである。
【０００８】
本発明の第２観点に係る調湿ユニットにおいては、背面に対する垂直方向の寸法が背面に対して平行な方向の寸法よりも小さいケーシングを用いることで、壁からの突出が少ない外観をケーシングに与えることができる。
【０００９】
本発明の第３観点に係る調湿ユニットは、本発明の第１観点又は第２観点の調湿ユニットにおいて、ケーシングは、吸着前空気を取り入れる吸着前空気取入口を正面に有する、ものである。
【００１０】
本発明の第３観点に係る調湿ユニットにおいては、吸着前空気取入口が正面にあって吸着ロータの吸着領域の正面への投影面積程度には吸着前空気取入口を大きくできることから、吸着前空気が吸着ロータに達するまでの流路抵抗を小さくすることができ、吸着用ファンを小型化し易くなる。
【００１１】
本発明の第４観点に係る調湿ユニットは、第３観点の調湿ユニットにおいて、ケーシングは、再生前空気を取り入れる再生前空気取入口を正面に有する、ものである。
【００１２】
本発明の第４観点に係る調湿ユニットにおいては、吸着ロータから吸着用ファンに向かう流路と吸着ロータから再生用ファンに向かう流路を同じ側に設けられることから、ケーシングの厚みを薄くし易くなる。
【００１３】
本発明の第５観点に係る調湿ユニットは、第３観点の調湿ユニットにおいて、ケーシングは、再生前空気を取り入れる再生前空気取入口を、背面と正面との間の側面に有し、吸着用ファンと再生用ファンは、吸着前空気の気流と再生前空気の気流が対向流となるように配置されている、ものである。
【００１４】
本発明の第５観点に係る調湿ユニットにおいては、着前空気の気流と再生前空気の気流が対向流となることにより、調湿能力を向上させることができる。
【００１５】
本発明の第６観点に係る調湿ユニットは、第５観点の調湿ユニットにおいて、吸着ロータは、背面に対して斜めに配置され、ケーシングの再生前空気取入口は、側面に吸着ロータの傾斜に沿って斜めにカットされた斜めカット部を含む、ものである。
【００１６】
本発明の第６観点に係る調湿ユニットにおいては、斜めカット部によって開口部が広がる分だけ再生前空気取入口を大きくすることができ、再生前空気の流路抵抗を小さくすることができる。
【００１７】
本発明の第７観点に係る調湿ユニットは、本発明の第１観点から第６観点のいずれかの調湿ユニットにおいて、吸着ロータを挟んで再生用ファンが上に位置するとともに吸着用ファンが下に位置する取り付けができるように構成されている、ものである。
【００１８】
本発明の第７観点に係る調湿ユニットにおいては、再生用ファンが上に位置することで、壁面の上方に形成された貫通穴と再生用ファンとを近づけ易くなり、貫通穴を通過する、再生用ファンから例えば室内まで吹き出す再生後空気の流路である例えば加湿ホースを短くすることができる。
【００１９】
本発明の第８観点に係る調湿ユニットは、第１観点から第７観点のいずれかの調湿ユニットにおいて、室外機と室内機を備える空気調和装置に取り付け可能に構成され、ケーシングが室外に設置されて、再生用ファンによって室内機に吹き出される再生後空気により室内を加湿するとともに、吸着用ファンによって吸着後空気を室外に吹き出す、ものである。
【００２０】
本発明の第８観点に係る調湿ユニットにおいては、ケーシングが室外に設置されることにより、調湿ユニットによる室内の加湿において吸着用ファンにより吸着前空気を室外から取り入れ易くなる。
【００２１】
本発明の第９観点に係る調湿ユニットは、第８観点の調湿ユニットにおいて、ケーシングは、室外機よりも室内機に近い位置に配置される、ものである。
【００２２】
本発明の第９観点に係る調湿ユニットにおいては、室外機よりも室内機に近い位置にケーシングが配置されることにより、再生用ファンが室内機の近くに位置することになるから、再生用ファンから吹き出す再生後空気を室内機に導く流路である例えば加湿ホースを短くすることができる。
【００２３】
本発明の第１０観点に係る調湿ユニットは、第１観点から第７観点のいずれかの調湿ユニットにおいて、ケーシングが室内に設置されて、吸着用ファンによって吹き出される吸着後空気により室内を除湿するとともに、再生用ファンによって再生後空気を室外に吹き出す、ものである。
【００２４】
本発明の第１０観点に係る調湿ユニットにおいては、ケーシングが室内に設置されることにより、調湿ユニットによる室内の除湿において吸着用ファンにより吸着前空気を室内から取り入れ易くなり、吸着用ファンを小型化し易くなる。
【発明の効果】
【００２５】
本発明の第１観点に係る調湿ユニットでは、薄型化を図ることができる。
【００２６】
本発明の第２観点に係る調湿ユニットでは、壁面に背面を対向させて設置し易い外観を持つことができる。
【００２７】
本発明の第３観点、第８観点または第１０観点に係る調湿ユニットでは、吸着用ファンを小型化して調湿ユニットの薄型化を向上させ易くなる。
【００２８】
本発明の第４観点に係る調湿ユニットでは、調湿ユニットの薄型化の向上が容易になる。
【００２９】
本発明の第５観点に係る調湿ユニットでは、調湿能力が高く且つ薄型化された調湿ユニットを提供することができる。
【００３０】
本発明の第６観点に係る調湿ユニットでは、再生用ファンの小型化が容易になることで、調湿ユニットの薄型化が容易になる。
【００３１】
本発明の第７観点または第９観点に係る調湿ユニットでは、再生用ファンから吹出される再生後空気の流路を短くして再生後空気に起因して起こる結露による不具合を抑制することができる。
【図面の簡単な説明】
【００３２】
【図１】第１実施形態に係る加湿ユニットを含む空気調和装置の回路図。
【図２】図１に記載の加湿ユニットの概念図。
【図３】第１実施形態に係る加湿ユニットの正面図。
【図４】図３のＩ−Ｉ線に沿った加湿ユニットの断面図。
【図５】壁に取り付けられている図１に記載の加湿ユニットを含む空気調和装置の模式図。
【図６】第１実施形態に係る加湿ユニットの斜視図。
【図７】図６の加湿ユニットの部分拡大斜視図。
【図８】グリッドを取り除いた第１実施形態に係る加湿ユニットの正面図。
【図９】位置関係を説明するための吸着ロータと吸着用ファンロータと再生用ファンロータの概念図。
【図１０】変形例１Ａに係る加湿ユニットの断面図。
【図１１】変形例１Ａに係る加湿ユニットの正面図。
【図１２】第２実施形態に係る加湿ユニットの正面図。
【図１３】図１２の加湿ユニットの右側面図。
【図１４】図１２の加湿ユニットの左側面図。
【図１５】図１２の加湿ユニットの下側面図。
【図１６】図１２のＩＩ−ＩＩ線に沿って切断して右から見た加湿ユニットの断面図。
【図１７】図１２のＩＩ−ＩＩ線に沿って切断して左から見た加湿ユニットの断面図。
【図１８】位置関係を説明するための吸着ロータと吸着用ファンロータと再生用ファンロータの概念図。
【図１９】変形例２Ａに係る加湿ユニットの断面図。
【図２０】第３実施形態に係る除湿ユニットを含む空気調和装置の回路図。
【図２１】図２０に記載の除湿ユニットの概念図。
【図２２】壁に取り付けられている図２０に記載の除湿ユニットを含む空気調和装置の模式図。
【図２３】変形例３Ａに係る除湿ユニットを含む空気調和装置の回路図。
【図２４】第４実施形態に係る加湿ユニットを含む空気調和装置の回路図。
【図２５】図２４に記載の加湿ユニットの概念図。
【図２６】壁に取り付けられている図２４に記載の加湿ユニットを含む空気調和装置の模式図。
【図２７】変形例４Ａに係る調湿ユニットの構成を説明するための図。
【図２８】第５実施形態に係る除湿ユニットを含む空気調和装置の回路図。
【図２９】図２８に記載の除湿ユニットの概念図。
【図３０】壁に取り付けられている図２８に記載の除湿ユニットを含む空気調和装置の模式図。
【図３１】変形例５Ａに係る調湿ユニットの構成を説明するための図。
【発明を実施するための形態】
【００３３】
＜第１実施形態＞
以下、本発明の第１実施形態に係る調湿ユニットについて図に基づいて説明する。第１実施形態では、空気調和装置に組み込まれた加湿ユニットを調湿ユニットの例に挙げて説明している。
【００３４】
（１）全体構成
図１には、実施形態に係る空気調和装置の全体構成が示されている。また、図２には、図１に示されている加湿ユニット３０の構成の概念が示されている。図１に示されている空気調和装置１は、室外機２と室内機４と冷媒連絡管５，６とを備え、空気調和装置１には加湿ユニット３０が取り付けられている。第１実施形態に係る空気調和装置１では、室外機２が室外ＯＤに設置され、室内機４が室内ＩＤに取り付けられ（図５参照）、室外機２と室内機４が冷媒連絡管５，６などで連絡されている。室外機２は、圧縮機２１と、四方弁２２と、室外熱交換器２３と、電動弁２４と、閉鎖弁２５と、閉鎖弁２６と室外ファン２７と、アキュムレータ２８とを備えている。また、室内機４は、室内熱交換器４２と室内ファン４１とを備えている。
【００３５】
室外機２と室内機４が冷媒連絡管５，６で接続されることにより、空気調和装置１の中には、蒸気圧縮式冷凍サイクルを行う冷媒回路１０が形成されている。冷媒回路１０には、圧縮機２１が組み込まれている。圧縮機２１は、低圧のガス冷媒を吸入し、圧縮して高温高圧のガス冷媒とした後に吐出する。圧縮機２１は、例えば、インバータによる回転数制御を行うことのできる容量可変のインバータ圧縮機である。圧縮機２１の運転周波数が高くなるほど冷媒回路１０の冷媒循環量が多くなり、逆に運転周波数が低くなると冷媒回路１０の冷媒循環量が減少する。
【００３６】
四方弁２２は、冷房運転と暖房運転の切換時に、冷媒の流れの方向を切り換えるための弁である。四方弁２２は、第１ポートに圧縮機２１の吐出側（吐出管２１ａ）が接続され、第２ポートに室外熱交換器２３が接続され、第３ポートにアキュムレータ２８が接続され、第４ポートに閉鎖弁２６を介して冷媒連絡管６が接続されている。この四方弁２２は、第１ポートと第２ポートの間を冷媒が流れるとともに第３ポートと第４ポートの間を冷媒が流れる破線で示された状態と、第１ポートと第４ポートの間を冷媒が流れるとともに第２ポートと第３ポートの間を冷媒が流れる実線で示された状態とを切り換えることができる。
【００３７】
加湿ユニット３０の詳細な構成については後述するが、加湿ユニット３０は、再生用熱交換器３１を備えており、この再生用熱交換器３１が冷媒連絡管６に挿入されている。従って、暖房運転状態のときには、圧縮機２１から吐出される高温高圧のガス冷媒は、高温高圧のまま再生用熱交換器３１に送られる。再生用熱交換器３１により吸着ロータ３２に送り込む再生前空気を加熱することによって湿度の高い再生後空気を生成することができるので、この加湿ユニット３０は、主に、暖房運転状態のときに室内ＩＤを加湿することになる。
【００３８】
四方弁２２の第２ポートと電動弁２４との間に配置されている室外熱交換器２３では、伝熱管（図示せず）を流れる冷媒と室外空気との間で熱交換が行われる。室外熱交換器２３は、冷房運転時には冷媒から熱を放出させる放熱器として機能し、暖房運転時には冷媒に熱を与える蒸発器として機能する。
【００３９】
電動弁２４は、室外熱交換器２３と室内熱交換器４２との間に配置されている。電動弁２４は、室外熱交換器２３と室内熱交換器４２の間を流れる冷媒を膨張させて減圧する機能を有している。電動弁２４は、膨張弁開度を変更することができるように構成されており、膨張弁開度を小さくすることにより電動弁２４を通過する冷媒の流路抵抗が増加し、膨張弁開度を大きくすることにより電動弁２４を通過する冷媒の流路抵抗が減少する。このような電動弁２４は、暖房運転では、室内熱交換器４２から室外熱交換器２３に向かって流れる冷媒を膨張させて減圧し、冷房運転では、室外熱交換器２３から室内熱交換器４２に向かって流れる冷媒を膨張させて減圧する。
【００４０】
また、室外機２には、室外機２の内部に室外空気を吸入して、室外熱交換器２３に室外空気を供給した後に、室外機２の外部に熱交換後の空気を排出するための室外ファン２７が設けられている。この室外ファン２７により、室外空気を冷却源又は加熱源として冷媒を冷却したり蒸発させたりする室外熱交換器２３の機能が促進される。室外ファン２７は、回転数を変更できる室外ファンモータ２７ａによって駆動される。この室外ファン２７の回転数が変更されることにより、室外熱交換器２３を通過する室外空気の風量が変更される。
【００４１】
また、室内機４には、室内機４の内部に室内空気を吸入して、室内熱交換器４２に室内空気を供給した後に、室内機４の外部に熱交換後の空気を排出するための室内ファン４１が設けられている。この室内ファン４１により、室内空気を冷却源又は加熱源として冷媒を冷却したり蒸発させたりする室内熱交換器４２の機能が促進される。室内ファン４１は、回転数を変更できる室内ファンモータ４１ａによって駆動される。
【００４２】
なお、加湿ユニット３０の設置時には、閉鎖弁２５，２６が閉じられた状態で行われる。そして、加湿ユニット３０の設置が終わったときに、閉鎖弁２５，２６が開状態にされる。
【００４３】
（２）基本動作
加湿ユニット３０により室内ＩＤが加湿されるのは、主に、室内ＩＤが乾燥するときであり、加湿ユニット３０により室内ＩＤが加湿される時期に特に制限はない。例えば、日本では、冬場に室内が乾燥することが多いので、暖房運転時に加湿ユニット３０により加湿されることが多い。
【００４４】
（２−１）暖房運転
暖房運転時においては、冷媒回路１０は、四方弁２２が図１の実線で示される状態となっている。また、閉鎖弁２５，２６は開状態にされ、電動弁２４は冷媒を減圧するように開度調節される。
【００４５】
このような暖房運転時の冷媒回路１０において圧縮機２１が駆動されると、低圧のガス冷媒は、吸入管２１ｂを通って圧縮機２１に吸入され、圧縮機２１において圧縮されて圧縮機２１の吐出側（吐出管２１ａ）から吐出される。圧縮機２１から吐出された高温高圧のガス冷媒は、四方弁２２の第１ポートと第４ポートと閉鎖弁２６と冷媒連絡管６を通って再生用熱交換器３１に送られる。再生用熱交換器３１で熱交換された冷媒は、冷媒連絡管６及び接続管７１を通って室内熱交換器４２に入る。高温高圧のガス冷媒は、室内熱交換器４２において室内ファン４１から吹き出される室内空気との熱交換により放熱する。放熱後の高圧の冷媒は、接続管７２、冷媒連絡管５及び閉鎖弁２５を通って電動弁２４に送られて、電動弁２４において減圧されて低圧の気液二相状態の冷媒となる。電動弁２４を出た低圧の気液二相状態の冷媒は室外熱交換器２３に入る。室外熱交換器２３において、低圧の気液二相状態の冷媒は、室外空気との熱交換により蒸発する。室外熱交換器２３から出た低圧のガス冷媒は、四方弁２２の第２ポートと第３ポートとアキュムレータ２８を通って圧縮機２１の吸入側（吸入管２１ｂ）に再び送られる。
【００４６】
（２−２）冷房運転
冷房運転時においては、冷媒回路１０は、四方弁２２が図１の破線で示される状態となっている。また、閉鎖弁２５，２６は開状態にされ、電動弁２４は冷媒を減圧するように開度調節される。
【００４７】
このような冷房運転時の冷媒回路１０において圧縮機２１が駆動されると、低圧のガス冷媒は、吸入管２１ｂを通って圧縮機２１に吸入され、圧縮機２１において圧縮されて圧縮機２１の吐出側（吐出管２１ａ）から吐出される。圧縮機２１から吐出された高温高圧のガス冷媒は、四方弁２２の第１ポートと第２ポートを通って室外熱交換器２３に送られる。高温高圧のガス冷媒は、室外熱交換器２３において室外空気との熱交換により放熱する。放熱後の高圧の冷媒は、電動弁２４に送られて、電動弁２４において減圧されて低圧の気液二相状態の冷媒となる。この低圧の気液二相状態の冷媒は、閉鎖弁２５、冷媒連絡管５及び接続管７２を通って室内熱交換器４２に送られる。室内熱交換器４２において、低圧の気液二相状態の冷媒は、室内ファン４１から吹き出される室内空気との熱交換により蒸発して低圧のガス冷媒となる。室内熱交換器４２から出た低圧のガス冷媒は、接続管７１、再生用熱交換器３１が挿入された冷媒連絡管６、閉鎖弁２６、四方弁２２（第４ポートから第３ポート）、及びアキュムレータ２８を通って圧縮機２１の吸入側（吸入管２１ｂ）に再び送られる。
【００４８】
（３）詳細構成
（３−１）加湿ユニット３０
図３には、加湿ユニット３０の正面から見た外観が示されている。図３に示されているＺ軸方向が鉛直方向であり、Ｘ軸方向が左右方向である。図３に示されている加湿ユニット３０は、壁面ＷＳに取り付けられている。壁面ＷＳは、ＸＺ平面に対して平行に広がっている。
【００４９】
図１に示されているように、加湿ユニット３０は、再生用熱交換器３１と吸着ロータ３２とロータ用モータ３３と吸着用ファン３４と再生用ファン３５と加湿ホース３６とを備えている。再生用熱交換器３１と吸着ロータ３２とロータ用モータ３３と吸着用ファン３４と再生用ファン３５は、図３に示されているケーシング５０の内部に収納されている。
【００５０】
加湿ユニット３０においては、図２に示されているように、吸着前空気が吸着前空気取入口５２から取り入れられて吸着ロータ３２のうちの吸着領域に送られる。吸着ロータ３２のうちの吸着領域で水分を奪われた吸着後空気は、吸着用ファン吹出口５６から吹出される。これら吸着前空気及び吸着後空気の気流は吸着用ファン３４により発生する。また、再生前空気は、再生前空気取入口５４から取り入れられ、再生用熱交換器３１を通過するときに加熱されて吸着ロータ３２のうちの再生領域に送られる。吸着ロータ３２のうちの再生領域で水分を与えられた再生後空気は、再生後空気用ダクト３５ｅ及び加湿ホース３６を通って室内機４の内部に吹出される。これら再生前空気及び再生後空気の気流は再生用ファン３５により発生する。
【００５１】
（３−１−１）ケーシング５０
図４には、図３のＩ−Ｉ線に沿った加湿ユニット３０の断面が示されている。図４において、Ｙ軸方向が前後方向である。なお、図４などの断面図において、図を見やすくするために一部斜線などのハッチングを省略している。図３及び図４に示されているように、加湿ユニット３０のケーシング５０の形状は、直方体を基礎として設計されている。そのため、ケーシング５０は、正面５０ａ、背面５０ｂ、上側面５０ｃ、下側面５０ｄ、右側面５０ｅ、左側面５０ｆが外観の大部分を占める。正面５０ａは背面５０ｂに対向する面である。上側面５０ｃ、下側面５０ｄ、右側面５０ｅ及び左側面５０ｆは、正面５０ａと背面５０ｂとの間にある側面である。なお、右側面５０ｅと背面５０ｂの間には、斜めに傾斜した右傾斜面５０ｇがあり、左側面５０ｆと背面５０ｂの間には、斜めに傾斜した左傾斜面５０ｈがある（図６参照）。
【００５２】
図５に示されている加湿ユニット３０は、鉛直方向に沿う壁面ＷＳに背面５０ｂが接触するように取り付けられている。しかし、ケーシング５０は、壁面ＷＳに接触するように取り付けられなくてもよく、ケーシング５０の背面５０ｂが壁面ＷＳに対向するように取り付けられていればよい。例えば、壁面ＷＳに平行に配置された枠体にケーシング５０が取り付けられてもよい。図５に示されている壁１００には、貫通孔１０１が形成されている。この貫通孔１０１の中を、冷媒連絡管５,６及び加湿ホース３６が通っている。
【００５３】
ケーシング５０は、図４に示されている、背面５０ｂに対する垂直方向（Ｙ軸方向）の寸法Ｍ１（正面５０ａと背面５０ｂの間の距離）が、背面５０ｂに平行な方向（ＸＺ平面に平行な方向）の寸法よりも小さい。背面５０ｂに平行な方向で最も小さいのは、右側面５０ｅと左側面５０ｆの間の距離（Ｘ軸方向の寸法Ｍ２（図３参照））である。図３と図４とを比較して分かるように、正面５０ａと背面５０ｂの間の距離は、右側面５０ｅと左側面５０ｆの間の距離より小さい。つまり、ケーシング５０は、薄型化されている。
【００５４】
図３及び図４に示されているケーシング５０では、ケーシング５０の最も長い辺がＺ軸方向に沿うように配置されて、上から順に（上側面５０ｃに近い方から順に）、再生用ファン３５、吸着ロータ３２、吸着用ファン３４が並んでいる。
【００５５】
ケーシング５０の正面５０ａには、図３に示されているように、グリッド５１が取り付けられている。図６には、加湿ユニット３０の正面５０ａからグリッド５１が取り外された外観が示されている。図６に示されているケーシング５０は、左斜め下方から見たものである。ケーシング５０の正面５０ａには、正面５０ａの中央部より少し下の箇所に半円形状の吸着前空気取入口５２が形成されている。吸着前空気取入口５２の長手方向は、Ｘ軸方向に平行である。吸着前空気取入口５２からは、露出した吸着ロータ３２が見えている。
【００５６】
ケーシング５０の左側面５０ｆには、配管接続部カバー５３が取り付けられている。図７には、配管接続部カバー５３が取り外された状態の加湿ユニット３０の外観の一部が拡大されて示されている。配管接続部カバー５３は、配管接続部３１ａ，３１ｂを覆っている。配管接続部３１ａは、閉鎖弁２６に繋がっている冷媒連絡管６に接続される。配管接続部３１ｂは、室内機４の室内熱交換器４２に繋がっている冷媒連絡管６に接続される。ケーシング５０の左側面５０ｆには、再生前空気取入口５４及び、加湿ホース３６をケーシング５０の内部から外部に取り出すための開口部５５が形成されている。再生前空気取入口５４は、図示を省略しているが、右側面５０ｅにも形成されている。ケーシング５０の下側面５０ｄには、吸着用ファン吹出口５６が形成されている。
【００５７】
（３−１−２）吸着ロータユニット３９
吸着ロータユニット３９は、再生用熱交換器３１と吸着ロータ３２とロータ用モータ３３とを含んで構成されている。吸着ロータ３２は、円盤状の部材である。吸着ロータ３２の円形の表面３２ａから円形の裏面３２ｂまでのロータ本体３２ｃには貫通した穴（図示せず）が多数形成さており、表面３２ａから裏面３２ｂまで吸着ロータ３２の中を空気が通り抜けるように構成されている。この吸着ロータ３２には、高分子の吸着材が含まれている。吸着材は、吸着ロータ３２を通り抜ける空気から水分を吸着する機能を有しており、常温よりも高い温度に加熱された空気が吸着ロータ３２の中を通過すると水分をその加熱された空気中に脱離する機能を有している。吸着ロータ３２が配置されている円盤状の領域において、吸着前空気取入口５２から取り入れられた空気が吸着用ファン吹出口５６から吹出されるまでに通過するのが吸着領域であり、再生前空気取入口５４から取り入れられた空気が加湿ホース３６を通って室内機４に送られるまでに通過するのが再生領域である。これら吸着領域と再生領域は重ならないように配置されている。第１実施形態の加湿ユニット３０では、吸着領域は概ね円盤状の領域の下半分を占め、再生領域は概ね円盤状の領域の上半分を占める。なお、吸着領域と再生領域の占有割合は適宜設計することができ、例えば、再生領域を扇形にして残りを吸着領域とするように構成してもよい。
【００５８】
吸着ロータユニット３９は、吸着ロータ３２が第１回転軸３２ｄの周りで回転するように吸着ロータ３２を支持している。第１回転軸３２ｄは、背面５０ｂに対する垂直方向（Ｙ軸方向）に延びている。吸着ロータ３２は、例えば１時間に３０回転する。吸着ロータ３２は、第１回転軸３２ｄの周りを１回転すると、吸着領域と再生領域を通過して、水分の吸着と水分の脱離を行う。そのために、再生用熱交換器３１を通過して加熱された再生前空気が全て吸着ロータ３２を通過できるように、吸着ロータユニット３９は、再生用熱交換器３１を保持するとともに再生用熱交換器３１を通過してさらに再生領域を通過する空気の経路を形成している。
【００５９】
（３−１−３）吸着用ファン３４
ここでは、吸着用ファン３４にシロッコファンが用いられている例を示しているが、吸着用ファン３４に用いることができるファンはシロッコファンに限られるものではない。ただし、吸着用ファン３４には、占有体積と送風量の条件を満たし易い遠心ファンが用いられることが好ましい。吸着用ファン３４は、第２回転軸３４ｂの周りで回転する吸着用ファンロータ３４ａと、吸着用モータ３４ｃと、吸着用ファンケース３４ｄと、吸着後空気用ダクト３４ｅとを備えている。第２回転軸３４ｂは、背面５０ｂに対する垂直方向に延びている。吸着用モータ３４ｃは、吸着用ファンロータ３４ａを回転させる。吸着用ファン３４は、吸着用ファンロータ３４ａによって、吸着前空気を吸着前空気取入口５２から吸着ロータ３２に導く。そして、吸着前空気が、吸着用ファンロータ３４ａにより送られて吸着領域において吸着ロータ３２を通過し、吸着ロータ３２を通過することで吸着ロータ３２に水分を奪われて吸着後空気になる。このとき吸着ロータ３２を通過する空気は、吸着ロータ３２の第１回転軸３２ｄと平行に吸着ロータ３２を通過する。このように第１回転軸３２ｄと平行に吸着ロータ３２を空気が通過すると、第１回転軸３２ｄに対して傾いて例えば３０度よりも傾いて空気が通過する場合に比べて吸着ロータ３２を通過する空気の受ける抵抗が小さくなる。
【００６０】
吸着ロータ３２の裏面３２ｂの側には、吸着後空気用ダクト３４ｅが配置されている。吸着後空気用ダクト３４ｅは、正面視において、吸着ロータ３２と吸着領域とが重なる部分よりも大きく、また吸着用ファン３４のベルマウス３４ｇの吸込円孔３４ｆよりも大きい。そして、吸着後空気用ダクト３４ｅは、正面視において、吸着ロータ３２と吸着領域とが重なる部分及びベルマウス３４ｇの吸込円孔３４ｆを覆うように配置されている。吸着後空気用ダクト３４ｅから吸着用ファン３４のベルマウス３４ｇの吸込円孔３４ｆを通って吸着用ファン３４に吸い込まれた吸着後空気は、吸着用ファン吹出口５６から吹出される。
【００６１】
（３−１−４）再生用ファン３５
ここでは、再生用ファン３５にターボファンが用いられている例を示しているが、再生用ファン３５に用いることができるファンはターボファンに限られるものではない。ただし、再生用ファン３５には、占有体積と送風量の条件を満たし易い遠心ファンが用いられることが好ましい。再生用ファン３５は、第３回転軸３５ｂの周りで回転する再生用ファンロータ３５ａと、再生用モータ３５ｃと、再生用ファンケース３５ｄと、再生後空気用ダクト３５ｅとを備えている。第３回転軸３５ｂは、背面５０ｂに対する垂直方向に延びている。再生用モータ３５ｃは、再生用ファンロータ３５ａを回転させる。再生用ファン３５は、再生用ファンロータ３５ａによって、再生前空気を再生前空気取入口５４から吸着ロータ３２に導く。そして、再生前空気が、再生用ファンロータ３５ａにより送られて再生領域において吸着ロータ３２を通過し、吸着ロータ３２を通過することで吸着ロータ３２に水分を与えられて再生後空気になる。再生前空気は、吸着ロータ３２の裏面３２ｂに達する前に、再生用熱交換器３１によって加熱されている。このとき吸着ロータ３２を通過する空気は、吸着ロータ３２の第１回転軸３２ｄと平行に吸着ロータ３２を通過する。このように第１回転軸３２ｄと平行に吸着ロータ３２を空気が通過すると、第１回転軸３２ｄに対して傾いて例えば３０度よりも傾いて空気が通過する場合に比べて吸着ロータ３２を通過する空気の受ける抵抗が小さくなる。
【００６２】
吸着ロータ３２の表面３２ａの側には、再生後空気用ダクト３５ｅが配置されている。再生後空気用ダクト３５ｅは、正面視において、吸着ロータ３２と再生領域とが重なる部分よりも大きく、また再生用ファン３５の吸込口３５ｆよりも大きい。そして、再生後空気用ダクト３５ｅは、正面視において、吸着ロータ３２と再生領域とが重なる部分及び吸込口３５ｆを覆うように配置されている。再生後空気用ダクト３５ｅから再生用ファン３５の吸込口３５ｆを通って再生用ファン３５に吸い込まれた再生後空気は、加湿ホース３６を通って吹出される。
【００６３】
（３−１−５）吸着ロータ３２と吸着用ファン３４と再生用ファン３５の位置関係
吸着ロータ３２と吸着用ファン３４の吸着用ファンロータ３４ａと再生用ファン３５の再生用ファンロータ３５ａは、背面５０ｂに沿って一方向（Ｚ軸方向）に並べて配列されている。さらに詳細には、図８に示されているように、吸着ロータ３２の第１回転軸３２ｄと吸着用ファンロータ３４ａの第２回転軸３４ｂと再生用ファンロータ３５ａの第３回転軸３５ｂとが、Ｚ軸方向に延びる一つの直線Ｌ１と直交するように並んでいる。図８には、正面視における吸着ロータ３２と吸着用ファン３４と再生用ファン３５の配置が破線で示されている。吸着ロータ３２と吸着用ファンロータ３４ａと再生用ファンロータ３５ａの配列方向視、つまり直線Ｌ１に沿って下側面５０ｄから上側面５０ｃの方を見ると、図９に示されているように、吸着ロータ３２の一部と吸着用ファンロータ３４ａの一部が重なり、それらの重なった部分と再生用ファンロータ３５ａが重なっている。そのため、吸着ロータ３２と吸着用ファン３４と再生用ファン３５を背面５０ｂに沿って平らに並べて配置することができ、加湿ユニット３０が薄型化できている。
【００６４】
また、第１回転軸３２ｄと第２回転軸３４ｂとの第３回転軸３５ｂとが、Ｚ軸方向に延びる一つの直線Ｌ１と直交するように並んでいることから、吸着用ファンロータ３４ａと再生用ファンロータ３５ａとが吸着ロータ３２からＸ軸方向にはみ出さないので、Ｘ軸方向のケーシング５０の寸法Ｍ２を小さくすることができる。
【００６５】
吸着ロータ３２において、吸着領域では、空気が吸着ロータ３２の表面３２ａから裏面３２ｂに向かって流れ、再生領域では、空気が吸着ロータ３２の裏面３２ｂから表面３２ａに向かって流れる。つまり、吸着用ファン３４と再生用ファン３５は、吸着前空気の気流と再生前空気の気流が対向流となるように配置されている。吸着前空気の気流と再生前空気の気流が対向流となることにより、同じ方向にこれらの気流が流れる場合に比べて加湿能力を向上させることができる。
【００６６】
（４）変形例
（４−１）変形例１Ａ
上記第１実施形態では、吸着用ファン３４と再生用ファン３５は、吸着前空気の気流と再生前空気の気流が対向流となるように配置されていたが、吸着用ファン３４と再生用ファン３５は、図１０及び図１１に示されているように、吸着前空気の気流と再生前空気の気流が同じ向きに流れるように配置されてもよい。図１１に示されている加湿ユニット３０Ａでは、正面５０ａに再生前空気取入口５７が形成されている。再生前空気取入口５７は、正面視において、再生用熱交換器３１と実質的に同じ大きさを有している長方形状に形成されている。再生前空気取入口５７にはグリッド５８が取り付けられている。なお、正面５０ａに再生前空気取入口５７を形成して場合でも、上記第１実施形態と同様に、右側面５０ｅ及び左側面５０ｆに再生前空気取入口を正面５０ａに近づけて設けてもよい。
【００６７】
（４−２）変形例１Ｂ
上記第１実施形態及び変形例１Ａでは、ケーシング５０，５０Ａの長手方向（寸法Ｍ４の辺が延びる方向）がＺ軸方向に一致するように加湿ユニット３０，３０Ａが取り付けられているが、背面５０ｂに平行な面内で回転させて、例えばケーシング５０，５０Ａの長手方向がＸ軸方向に延びるように加湿ユニット３０，３０Ａが取り付けられてもよい。
【００６８】
（５）特徴
（５−１）
第１実施形態の加湿ユニット３０及び変形例１Ａの加湿ユニット３０Ａは、調湿ユニットの一例である。これら加湿ユニット３０，３０Ａにおいては、背面５０ｂに沿った一方向（Ｚ軸方向）に並べて配列されている吸着ロータ３２と吸着用ファンロータ３４ａと再生用ファンロータ３５ａの配列方向視において吸着ロータ３２と吸着用ファンロータ３４ａと再生用ファンロータ３５ａの少なくとも一部が重なるように配置されている。そのため、吸着ロータ３２と吸着用ファン３４と再生用ファン３５が背面５０ｂに沿って平らに並べられることから、配列方向視において吸着ロータ３２と吸着用ファンロータ３４ａと再生用ファンロータ３５ａのうちの少なくとも一つが重ならない場合の厚みに比べて加湿ユニット３０，３０Ａの厚みを薄くすることができ、加湿ユニット３０，３０Ａを薄型化することができている。
【００６９】
なお、第１回転軸３２ｄと第２回転軸３４ｂと第３回転軸３５ｂが背面に対する垂直方向に延びている場合について説明したが、これらは垂直方向に沿っていればよく、本発明では、第１回転軸３２ｄ、第２回転軸３４ｂ及び第３回転軸３５ｂでは２０度傾くものまで垂直方向に沿うものに含まれる。
【００７０】
また、配列方向視において、再生用ファンロータ３５ａが吸着ロータ３２と完全に重なり、再生用ファンロータ３５ａが吸着用ファンロータ３４ａと完全に重なっているが、例えば、再生用ファンロータ３５ａの一部が吸着ロータ３２と重なり、再生用ファンロータ３５ａの一部が吸着用ファンロータ３４ａと重なるように配置されてもよい。例えば、再生用ファンロータ３５ａを背面５０ｂに近づけるようにずらせば、再生用ファンロータ３５ａの一部が吸着ロータ３２と重なり、再生用ファンロータ３５ａの一部が吸着用ファンロータ３４ａと重なるように配置できる。例えば、再生用ファンロータ３５ａを正面５０ａに近づけるようにずらして、再生用ファンロータ３５ａの一部が吸着ロータ３２と重なり、再生用ファンロータ３５ａの全体が吸着用ファンロータ３４ａと重なるように吸着ロータ３２と吸着用ファン３４と再生用ファン３５を配置してもよい。また、例えば、再生用ファンロータ３５ａの全てが吸着ロータ３２と重なり、再生用ファンロータ３５ａの一部が吸着用ファンロータ３４ａと重なるように吸着ロータ３２と吸着用ファン３４と再生用ファン３５を配置することもできる。さらに、吸着ロータ３２の直径を吸着用ファンロータ３４ａの直径よりも小さくして、吸着ロータ３２の全てが吸着用ファンロータ３４ａと重なるように配置してもよい。
【００７１】
（５−２）
上述の加湿ユニット３０，３０Ａでは、背面５０ｂに対する垂直方向の寸法Ｍ１(図４参照)が背面に対して平行な方向の寸法Ｍ２（図３参照）よりも小さいケーシング５０，５０Ａを用いることで、壁１００からの突出が少ない外観をケーシング５０，５０Ａに与えることができている。その結果、加湿ユニット３０，３０Ａでは、ケーシング５０，５０Ａが、壁面ＷＳに背面５０ｂを対向させて設置し易い外観を持つものとなっている。
【００７２】
（５−３）
上述の加湿ユニット３０，３０Ａでは、ケーシング５０，５０Ａが、吸着前空気を取り入れる吸着前空気取入口５２を正面５０ａに有している。このように、吸着前空気取入口５２が正面５０ａに在って吸着ロータ３２の吸着領域の正面への投影面積と同じ大きさの吸着前空気取入口５２が形成できていることから、吸着前空気が吸着ロータ３２に達するまでの流路抵抗を小さくすることができ、吸着用ファン３４に小型のものを用いることができている。その結果、吸着用ファン３４の小型化により加湿ユニット３０，３０Ａの薄型化を向上させることができている。
【００７３】
（５−４）
変形例１Ａの加湿ユニット３０Ａ（調湿ユニットの一例）のケーシング５０Ａのように、再生前空気を取り入れる再生前空気取入口５７がケーシング５０Ａの正面５０ａに形成されている場合には、吸着ロータから吸着用ファンに向かう流路と吸着ロータから再生用ファンに向かう流路を同じ側に設けられることから、ケーシング５０Ａの厚みを薄くし易くなる（背面５０ｂに対する垂直方向の寸法Ｍ３を小さくし易くなる）。
【００７４】
（５−５）
上述の加湿ユニット３０では、吸着前空気取入口５２が正面５０ａに形成されていることから、再生前空気が吸着ロータ３２の表面３２ａから入って裏面３２ｂから出るので、ケーシング５０は、再生前空気を取り入れる再生前空気取入口５４を、背面５０ｂと正面５０ａとの間の側面である右側面５０ｅと左側面５０ｆに有し、吸着用ファン３４と再生用ファン３５は、吸着前空気の気流と再生前空気の気流が対向流となるように配置することができている。着前空気の気流と再生前空気の気流が対向流となることにより、加湿ユニット３０の加湿能力を向上させることができ、調湿能力が高く且つ薄型化された調湿ユニットである加湿ユニット３０が提供できる。
【００７５】
（５−６）
上述の加湿ユニット３０，３０Ａでは、吸着ロータ３２を挟んで再生用ファン３５が上に位置するとともに吸着用ファン３４が下に位置する取り付けができるように構成されている。このように、再生用ファン３５が上に位置することで、壁面ＷＳの上方に形成された貫通孔１０１と再生用ファン３５とを近づけ易くなり、貫通孔１０１を通過する、再生用ファン３５から例えば室内まで吹き出す再生後空気の流路である例えば加湿ホース３６を短くすることができる。その結果、再生用ファン３５から吹出される再生後空気の流路を短くして再生後空気に起因して起こる結露による不具合を抑制することができる。
【００７６】
（５−７）
上述の加湿ユニット３０，３０Ａは、室外機２と室内機４を備える空気調和装置１に取り付け可能に構成されている。加湿ユニット３０，３０Ａは、ケーシング５０，５０Ａが室外ＯＤに設置されて、再生用ファン３５によって室内機４に吹き出される再生後空気により室内ＩＤを加湿するとともに、吸着用ファン３４によって吸着後空気を室外ＯＤに吹き出す。ケーシング５０，５０Ａが室外ＯＤに設置されることにより、調湿ユニットである加湿ユニット３０，３０Ａによる室内ＩＤの加湿において吸着用ファン３４により吸着前空気を室外ＯＤから取り入れ易くなり、吸着用ファン３４を小型化して加湿ユニット３０，３０Ａを薄型化し易くなっている。
【００７７】
（５−８）
上述の加湿ユニット３０，３０Ａは、ケーシング５０，５０Ａが、室外機２よりも室内機４に近い位置に配置されている。室外機２よりも室内機４に近い位置にケーシング５０，５０が配置されることにより、室外機２に加湿ユニットが一体化されている従来例に比べて再生用ファン３５が室内機４の近くに位置することになるから、再生用ファン３５から吹き出す再生後空気を室内機４に導く流路である例えば加湿ホース３６を短くすることができる。その結果、再生用ファン３５から吹出される再生後空気の流路を短くして再生後空気に起因して起こる結露による不具合を抑制することができる。
【００７８】
＜第２実施形態＞
（６）全体構成
第２実施形態では、空気調和装置１に組み込まれた加湿ユニットの他の形態を説明している。図１２には第２実施形態に係る加湿ユニット３０Ｂを正面から見た状態が示され、図１３には加湿ユニット３０Ｂの右側面５０ｅが示され、図１４には加湿ユニット３０Ｂの左側面５０ｆが示され、図１５には加湿ユニット３０Ｂの下側面５０ｄが示されている。また、図１６には、図１２のＩＩ−ＩＩ線に沿って加湿ユニット３０Ｂを切断して右側から見た状態が示され、図１７には、図１２のＩＩ−ＩＩ線に沿って加湿ユニット３０Ｂを切断して左側から見た状態が示されている。
【００７９】
図１６及び図１７を見れば分かるように、第２実施形態では、ケーシング５０Ｂの背面に対して、吸着ロータ３２が斜めに配置されている。吸着ロータ３２が斜めに配置されているので、第１実施形態のケーシング５０におけるＺ軸方向の寸法Ｍ４に比べて、第２実施形態のケーシング５０ＢにおけるＺ軸方向の寸法Ｍ５を小さくすることができている。
【００８０】
第２実施形態の加湿ユニット３０Ｂが組み込まれた空気調和装置は、例えば、第１実施形態の加湿ユニット３０が組み込まれた空気調和装置１において加湿ユニット３０と加湿ユニット３０Ｂを入れ替えることができ、そのように入れ替えた場合の空気調和装置の構成は図１と同じになる。であるから、第２実施形態の加湿ユニット３０Ｂが空気調和装置に組み込まれたときの構成については説明を省略する。同様に、第２実施形態の加湿ユニット３０Ｂが組み込まれた空気調和装置の動作についても同様であるので、第２実施形態の加湿ユニット３０Ｂが組み込まれた空気調和装置の動作の説明を省略する。
【００８１】
加湿ユニット３０Ｂは、加湿ユニット３０と同様に、再生用熱交換器３１と吸着ロータ３２とロータ用モータ３３と吸着用ファン３４と再生用ファン３５と加湿ホース３６とを備えている。加湿ユニット３０Ｂと加湿ユニット３０では、吸着ロータ３２が傾斜しているために、再生用熱交換器３１と吸着ロータ３２とロータ用モータ３３と吸着用ファン３４と再生用ファン３５と加湿ホース３６の配置や構造が異なるので、これらの異なる点について以下に説明する。
【００８２】
（７）詳細構成
（７−１）各部の配置と構造
図１７に示されているように、吸着ロータ３２は、背面５０ｂに対して傾斜した第１回転軸３２ｄの周りで回転する。例えば、第１回転軸３２ｄとＸ軸とのなす角αが１０度〜３０度になるように吸着ロータ３２が配置される。ここでは、第１回転軸３２ｄとＸ軸とのなす角αが約１５度になるように配置されている。このように配置された吸着ロータ３２の裏面３２ｂに平行に再生用熱交換器３１が配置されている。例えば、再生用熱交換器３１のフィンの正面側端部の包絡面３１Ｐが実質的に吸着ロータ３２の裏面３２ｂに平行になっている。再生用熱交換器３１については、吸着ロータ３２に再生用熱交換器３１を近づけて熱エネルギーのロスを小さくするのに、吸着ロータ３２に沿うように斜めに配置されていることが好ましい。この場合、吸着ロータ３２の裏面３２ｂに対して±１０度傾くものも吸着ロータ３２に沿うものに含まれる。この再生用熱交換器３１は、重心がケーシング５０Ｂの正面５０ａよりも背面５０ｂに近い点に位置するように配置されている。再生用熱交換器３１の重心がケーシング５０Ｂの背面５０ｂに近い点に位置すると、重心が正面５０ａに近いところにある場合に比べて加湿ユニット３０Ｂを壁１００から離す方向に働く力のモーメントが小さくなるので、壁面ＷＳに背面５０ｂを対向させて設置し易くなる。
【００８３】
再生用熱交換器３１に送られる再生前空気は、右側面５０ｅ及び左側面５０ｆに形成されている再生前空気取入口５４から取り入れられる。再生前空気取入口５４は、吸着ロータ３２の傾斜に沿って斜めにカットされた斜めカット部５４ａを含んでいる。このような斜めカット部５４ａによって開口部が広がる分だけ再生前空気取入口５４が大きくなっており、再生前空気の流路抵抗が小さくなっている。
【００８４】
吸着用ファンロータ３４ａの第２回転軸３４ｂ及び再生用ファンロータ３５ａの第３回転軸３５ｂは、いずれも背面５０ｂに対する垂直方向（Ｙ軸方向）に延びている。言い換えると、吸着用ファンロータ３４ａも再生用ファンロータ３５ａも背面５０ｂに平行な面内で回転するように、吸着用ファン３４及び再生用ファン３５が配置されている。また、吸着用ファン３４及び再生用ファン３５は、それぞれの重心がケーシング５０Ｂの正面５０ａよりも背面５０ｂに近い点に位置するように配置されている。重量物である吸着用ファン３４と再生用ファン３５の重心がケーシング５０Ｂの背面５０ｂに近い点に位置すると、重心が正面５０ａに近いところにある場合に比べて加湿ユニット３０Ｂを壁１００から離す方向に働く力のモーメントが小さくなるので、壁面ＷＳに背面５０ｂを対向させて設置し易くなる。
【００８５】
図１６に示されているように、吸着用ファン３４は、ベルマウス３４ｇの吸込円孔３４ｆの領域ＲＥ１と吸着ロータ３２の一部領域ＲＥ２が正面視において重なるように配置されている。吸着ロータ３２の一部領域ＲＥ２は、吸着用ファン３４とケーシング５０Ｂの正面５０ａの間に配置されている。吸着用ファン３４とケーシング５０Ｂの正面５０ａとの間に吸着ロータ３２の一部領域ＲＥ２が配置されることで、吸着ロータに吸着前空気を導くときの流路抵抗を低く抑えることができ、吸着用ファン３４の小型化ができている。
【００８６】
そして、図１６に示されている吸着ロータ３２の裏面３２ｂのうち、ベルマウス３４ｇの吸込円孔３４ｆから最も遠い最離反箇所Ｐ１が吸込円孔３４ｆの半径ｒ１の６０％離れている。吸着用ファン３４のベルマウス３４ｇの吸込円孔３４ｆのうちの吸着ロータ３２と重なっていない領域について吸着ロータ３２と吸着用ファン３４との間で空気を流れ易くするためには、半径ｒ１の１０％以上離れるように配置されることが好ましい。また、吸着ロータ３２が吸着用ファン３４から離れすぎると、加湿ユニット３０Ｂの薄型化が難しくなるので、吸着ロータ３２は、例えば、最離反箇所Ｐ１が吸込円孔３４ｆの半径ｒ１の４０％以上離れる場合においては、吸込円孔３４ｆから最も近い最近接箇所Ｐ２が離れる距離は、吸込円孔３４ｆの半径ｒ１の４０％未満になるように設定される。ここでは、吸込円孔３４ｆから最近接箇所Ｐ２までの距離が吸込円孔３４ｆの半径ｒ１の約３５％になっている。
【００８７】
再生用ファン３５は、再生用熱交換器３１から吸着ロータ３２の裏面３２ｂ、表面３２ａの順に通過してきた再生後空気を、ケーシング５０Ｂの正面５０ａに沿って配置されている再生後空気用ダクト３５ｅで吸着ロータ３２の吸込口３５ｆに送る。再生用ファン３５の再生用ファンロータ３５ａには、正面５０ａから背面５０ｂに向かう方向に再生後空気が吸入される。この場合も、吸着ロータ３２において、吸着領域では、空気が吸着ロータ３２の表面３２ａから裏面３２ｂに向かって流れ、再生領域では、空気が吸着ロータ３２の裏面３２ｂから表面３２ａに向かって流れる。つまり、吸着用ファン３４と再生用ファン３５は、吸着前空気の気流と再生前空気の気流が対向流となるように配置されている。
【００８８】
（７−２）吸着ロータ３２と吸着用ファン３４と再生用ファン３５の位置関係
第２実施形態においても第１実施形態と同様に、吸着ロータ３２と吸着用ファンロータ３４ａと再生用ファンロータ３５ａは、背面５０ｂに沿って一方向（Ｚ軸方向）に並べて配列されている。吸着ロータ３２の第１回転軸３２ｄと吸着用ファンロータ３４ａの第２回転軸３４ｂと再生用ファンロータ３５ａの第３回転軸３５ｂとが、Ｚ軸方向に延びる一つの直線Ｌ２を通るＹＺ平面内に並んでいる。吸着ロータ３２と吸着用ファンロータ３４ａと再生用ファンロータ３５ａの配列方向視、つまり直線Ｌ２に沿って下側面５０ｄから上側面５０ｃの方を見ると、図１８に示されているように、吸着ロータ３２の一部と吸着用ファンロータ３４ａの一部とが再生用ファンロータ３５ａの一部と重なり、正面５０ａと背面５０ｂの距離を縮めてＹ軸方向の寸法Ｍ６を小さくでき、加湿ユニット３０Ｂが薄型化できている。
【００８９】
また、第１回転軸３２ｄと第２回転軸３４ｂとの第３回転軸３５ｂとが、Ｚ軸方向に延びる一つの直線Ｌ２を通るＹＺ平面内に並んでいることから、吸着用ファンロータ３４ａと再生用ファンロータ３５ａとが吸着ロータ３２からＸ軸方向にはみ出さないので、Ｘ軸方向のケーシング５０の寸法Ｍ７を小さくすることができる。
【００９０】
（８）変形例
（８−１）変形例２Ａ
上記第２実施形態では、吸着用ファン３４と再生用ファン３５は、吸着前空気の気流と再生前空気の気流が対向流となるように配置されていたが、吸着用ファン３４と再生用ファン３５は、図１９に示されているように、吸着前空気の気流と再生前空気の気流が同じ向きに流れるように配置されてもよい。図１９に示されている加湿ユニット３０Ｃでは、ケーシング５０Ｃの正面５０ａに再生前空気取入口５７が形成されている。再生前空気取入口５７は、正面視において、再生用熱交換器３１と実質的に同じ大きさを有している長方形状に形成されている。再生前空気取入口５７にはグリッド５８が取り付けられている。なお、正面５０ａに再生前空気取入口５７を形成して場合でも、上記第２実施形態と同様に右側面５０ｅ及び左側面５０ｆに、再生前空気取入口を正面５０ａに近づけて設けてもよい。
【００９１】
（８−２）変形例２Ｂ
上記第２実施形態及び変形例２Ａでは、ケーシング５０Ｂ，５０Ｃの長手方向（寸法Ｍ５の辺が延びる方向）がＺ軸方向に一致するように加湿ユニット３０Ｂ，３０Ｃが取り付けられているが、背面５０ｂに平行な面内で回転させて、例えばケーシング５０Ｂ，５０Ｃの長手方向がＸ軸方向に延びるように加湿ユニット３０Ｂ，３０Ｃが取り付けられてもよい。
【００９２】
（９）特徴
第２実施形態の加湿ユニット３０Ｂは、上述の（５−１）〜（５−３）及び（５−５）〜（５−８）で説明した第１実施形態の加湿ユニット３０と同様の特徴を有していることが明らかであるので、これらの特徴の説明を省略する。また、変形例２Ａの加湿ユニット３０Ｃは、上述の（５−１）〜（５−４）及び（５−６）〜（５−８）で説明した変形例１Ａの加湿ユニット３０Ａと同様の特徴を有していることが明らかであるので、これらの説明を省略する。
【００９３】
（９−１）
第２実施形態の加湿ユニット３０Ｂ及び変形例２Ａの加湿ユニット３０Ｃは、調湿ユニットの一例である。加湿ユニット３０Ｂ，３０Ｃの吸着ロータ３２は、背面５０ｂに対して斜めに配置され、ケーシング５０Ｂ，５０Ｃの再生前空気取入口５４は、右側面５０ｅ及び左側面５０ｆに吸着ロータ３２の傾斜に沿って斜めにカットされた斜めカット部５４ａを含む。これら斜めカット部５４ａによって開口部が広がる分だけ再生前空気取入口５４を大きくすることができ、再生前空気の流路抵抗を小さくして再生用ファン３５の小型化が容易になることで、加湿ユニット３０Ｂ，３０Ｃの薄型化が容易になっている。
【００９４】
＜第３実施形態＞
（１０）全体構成
上述の加湿ユニット３０，３０Ａ〜３０Ｃは、空気調和装置１に組み込まれて室内ＩＤの加湿を行う調湿ユニットの一例として説明されているが、これらの加湿ユニット３０，３０Ａ〜３０Ｃと同じユニットを室内ＩＤに設置して再生後空気を室外に排出することで、除湿ユニットとして用いることもできる。
【００９５】
図２０には、除湿ユニット３０Ｄが取り付けられた空気調和装置１が示されている。また、図２１には、図２０に示されている除湿ユニット３０Ｄの構成の概念が示されている。この除湿ユニット３０Ｄが第３実施形態における調湿ユニットの一例である。第３実施形態の除湿ユニット３０Ｄは、第１実施形態の加湿ユニット３０と同様に再生用熱交換器３１と吸着ロータ３２とロータ用モータ３３と吸着用ファン３４と再生用ファン３５とケーシング５０とを備え、第１実施形態の加湿ユニット３０が備える加湿ホース３６の代わりに排気ホース３７を備えている。排気ホース３７以外の構成は、第３実施形態の除湿ユニット３０Ｄと第１実施形態の加湿ユニット３０とは同じであるので説明を省略する。
【００９６】
（１１）除湿ユニット３０Ｄの動作
図２２には、室内ＩＤに除湿ユニット３０Ｄのケーシング５０が取り付けられている状態が示されている。除湿ユニット３０Ｄからは、貫通孔１０１を通って排気ホース３７が室外ＯＤまで延びている。貫通孔１０１を通って室外機２から室内ＩＤまで配管されている冷媒連絡管６は、除湿ユニット３０Ｄの配管接続部３１ａに接続され、貫通孔１０１を通って室外機２から室内ＩＤまで配管されている冷媒連絡管５は、室内機４（接続管７２）に接続されている。室内機４（接続管７１）と除湿ユニット３０Ｄの配管接続部３１ｂとが室内ＩＤにおいて配管されている冷媒連絡管６によって接続されている。除湿ユニット３０Ｄは、例えば室内機４とは異なる部屋に取り付けられ、例えば乾燥室に配置される。
【００９７】
除湿ユニット３０Ｄが除湿を行うときには、吸着用ファン３４により吸着前空気が室内ＩＤから吸着前空気取入口５２を通って取り入れられて吸着ロータ３２に送られる。そして、吸着ロータ３２で水分を奪われて乾燥した吸着後空気が、吸着用ファン３４によって吸着用ファン吹出口５６から室内ＩＤに吹出される。また、再生用ファン３５により再生前空気が室内ＩＤから再生前空気取入口５４を通って取り入れられて吸着ロータ３２に送られる。吸着ロータ３２で水分を与えられた再生後空気が、再生用ファン３５によって排気ホース３７を通って室外ＯＤに吹き出される。
【００９８】
（１２）変形例
（１２−１）変形例３Ａ
上記第３実施形態では、図２０において、室内機４と除湿ユニット３０Ｄを併用する場合について説明したが、図２３に示されているように、室内機４を除いて除湿ユニット３０Ｄと室外機２とを直接接続して用いることもできる。
【００９９】
＜第４実施形態＞
（１３）全体構成
上記第３実施形態では、室内ＩＤに除湿ユニット３０Ｄを設置して室内ＩＤを除湿する場合について説明したが、図２４に示されている加湿ユニット３０Ｅを室内ＩＤに設置して室内ＩＤを加湿するように構成することもできる。なお、図２５には、図２４に示されている加湿ユニット３０Ｅの構成の概念が示されている。
【０１００】
この加湿ユニット３０Ｅが第４実施形態における調湿ユニットの一例である。第４実施形態の加湿ユニット３０Ｅは、第１実施形態の加湿ユニット３０と同様に、再生用熱交換器３１と吸着ロータ３２とロータ用モータ３３と吸着用ファン３４と再生用ファン３５とケーシング５０と加湿ホース３６とを備えている。第４実施形態に係る加湿ユニット３０Ｅは、さらに、貫通孔１０１を通って室外ＯＤから吸着前空気を取り入れるための給気ホース３８と、貫通孔１０１を通って室外ＯＤに吸着後空気を排気するための排気ホース３７とを備えている。なお、加湿ユニット３０Ｅの加湿ホース３６は、室内ＩＤにおいて加湿ユニット３０Ｅと室内機４とを接続するホースである。排気ホース３７及び給気ホース３８以外の構成は、第４実施形態の加湿ユニット３０Ｅと第１実施形態の加湿ユニット３０とは同じであるので説明を省略する。
【０１０１】
（１４）加湿ユニット３０Ｅの動作
図２６には、室内ＩＤに加湿ユニット３０Ｅのケーシング５０が取り付けられている状態が示されている。加湿ユニット３０Ｅが加湿を行うときには、吸着用ファン３４により吸着前空気が室外ＯＤから給気ホース３８及び吸着前空気取入口５２を通って取り入れられて吸着ロータ３２に送られる。そして、吸着ロータ３２で水分を奪われて乾燥した吸着後空気が、吸着用ファン３４によって吸着用ファン吹出口５６から排気ホース３７を通って室外ＯＤに吹出される。また、再生用ファン３５により再生前空気が室内ＩＤから再生前空気取入口５４を通って取り入れられて吸着ロータ３２に送られる。吸着ロータ３２で水分を与えられた再生後空気が、再生用ファン３５によって加湿ホース３６を通って室内機４に送られる。
【０１０２】
（１５）変形例４Ａ
第４実施形態では室内ＩＤに設置された加湿ユニット３０Ｅについて説明した。また、第３実施形態では室内ＩＤに設置された除湿ユニット３０Ｄについて説明した。吸着用ファン３４及び再生用ファン３５の吸排気を切り換えるダンパを設けることで、これらの加湿機能と除湿機能を併せ持つ除加湿ユニットを構成することもできる。
【０１０３】
図２７には、加湿機能と除湿機能を併せ持つ調湿ユニット３０Ｆが示されている。調湿ユニット３０Ｆは、加湿ユニット３０Ｅの構成に対して、４つのダンパ６１〜６４をさらに備えている。ダンパ６１，６２は、吸着前空気と再生前空気のうちの一方を室内ＩＤから取り入れ、他方を室外ＯＤから取り入れるように切り換える。ダンパ６３，６４は、吸着用ファン３４により吹出される吸着後空気と再生用ファン３５により吹出される再生後空気のうちの一方を室内ＩＤに吹出させ、他方を室外ＯＤに吹出させるように切り換える。ダンパ６１，６２が図２７の実線で示されている状態になっているときには、吸着用ファン３４により給気ホース３８を通って室外ＯＤから吸着前空気が取り入れられて吸着ロータ３２に送られ、再生用ファン３５によって再生前空気が室内ＩＤから取り入れられて吸着ロータ３２に送られる。ダンパ６３，６４が図２７に実線で示されている状態になっているときには、吸着用ファン３４によって吸着後空気が排気ホース３７を通って室外ＯＤに吹出され、再生用ファン３５によって再生後空気が調湿ホース３６Ａを通って室内ＩＤに吹出されて、室内ＩＤの加湿が行われる。
【０１０４】
それに対して、ダンパ６１，６２が図２７の破線で示されている状態になっているときには、吸着用ファン３４によって吸着前空気が室内ＩＤから取り入れられて吸着ロータ３２に送られ、再生用ファン３５によって再生前空気が室外ＯＤから給気ホース３８を通って取り入れられて吸着ロータ３２に送られる。そして、ダンパ６３，６４が図２７の破線で示されている状態になっているときには、吸着用ファン３４によって吸着後空気が調湿ホース３６Ａを通って室内ＩＤに吹出され、再生用ファン３５によって再生後空気が排気ホース３７を通って室外ＯＤに吹出されて、室内ＩＤの除湿が行われる。なお、ダンパ６１〜６４は、シャッタで構成してもよく、またケーシングの外に設けられてもよい。
【０１０５】
＜第５実施形態＞
（１６）全体構成
上記第１実施形態では、室外ＯＤに加湿ユニット３０を設置して室内ＩＤを加湿する場合について説明したが、図２８に示されている除湿ユニット３０Ｇを室外ＯＤに設置して室内ＩＤを除湿するように構成することもできる。なお、図２９には、図２８に示されている除湿ユニット３０Ｇの構成の概念が示されている。
【０１０６】
この除湿ユニット３０Ｇが第５実施形態における調湿ユニットの一例である。第５実施形態の除湿ユニット３０Ｇは、第１実施形態の加湿ユニット３０と同様に、再生用熱交換器３１と吸着ロータ３２とロータ用モータ３３と吸着用ファン３４と再生用ファン３５とケーシング５０とを備えている。第４実施形態に係る除湿ユニット３０Ｇは、さらに、貫通孔１０１を通って室内ＩＤから吸着前空気を取り入れるための給気ホース３８と、貫通孔１０１を通って室内ＩＤに吸着後空気を送るための調湿ホース３６Ａとを備えている。調湿ホース３６Ａ及び給気ホース３８以外の構成は、第５実施形態の除湿ユニット３０Ｇと第１実施形態の加湿ユニット３０とは同じであるので説明を省略する。
【０１０７】
（１７）除湿ユニット３０Ｇの動作
図３０には、室外ＯＤに除湿ユニット３０Ｇのケーシング５０が取り付けられている状態が示されている。除湿ユニット３０Ｇが除湿を行うときには、吸着用ファン３４により吸着前空気が室内ＩＤから給気ホース３８及び吸着前空気取入口５２を通って取り入れられて吸着ロータ３２に送られる。そして、吸着ロータ３２で水分を奪われて乾燥した吸着後空気が、吸着用ファン３４によって吸着用ファン吹出口５６から調湿ホース３６Ａを通って室内ＩＤに吹出される。また、再生用ファン３５により再生前空気が室外ＯＤから再生前空気取入口５４を通って取り入れられて吸着ロータ３２に送られる。吸着ロータ３２で水分を与えられた再生後空気が、再生用ファン３５によって室外ＯＤに吹出される。
【０１０８】
（１８）変形例５Ａ
第５実施形態では室外ＯＤに設置された除湿ユニット３０Ｇについて説明した。また、第１実施形態では室外ＯＤに設置された加湿ユニット３０について説明した。吸着用ファン３４及び再生用ファン３５の吸排気を切り換えるダンパを設けることで、これらの加湿機能と除湿機能を併せ持つ除加湿ユニットを構成することもできる。
【０１０９】
図３１には、加湿機能と除湿機能を併せ持つ調湿ユニット３０Ｈが示されている。調湿ユニット３０Ｈは、加湿ユニット３０の構成に対して、４つのダンパ６６〜６９をさらに備えている。ダンパ６６，６７は、吸着前空気と再生前空気のうちの一方を室内ＩＤから取り入れ、他方を室外ＯＤから取り入れるように切り換える。ダンパ６８，６９は、吸着用ファン３４により吹出される吸着後空気と再生用ファン３５により吹出される再生後空気の一方を室内ＩＤに吹出させ、他方を室外ＯＤに吹出させるように切り換える。
【０１１０】
ダンパ６６，６７が図３１の実線で示されている状態になっているときには、吸着用ファン３４により室外ＯＤから吸着前空気が取り入れられて吸着ロータ３２に送られ、再生用ファン３５によって再生前空気が室内ＩＤから給気ホース３８を通って取り入れられて吸着ロータ３２に送られる。ダンパ６８，６９が図３１に実線で示されている状態になっているときには、吸着用ファン３４によって吸着後空気が室外ＯＤに吹出され、再生用ファン３５によって再生後空気が調湿ホース３６Ａを通って室内ＩＤに吹出されて、室内ＩＤの加湿が行われる。
【０１１１】
それに対して、ダンパ６６，６７が図３１の破線で示されている状態になっているときには、吸着用ファン３４により室内ＩＤから給気ホース３８を通って吸着前空気が取り入れられて吸着ロータ３２に送られ、再生用ファン３５によって再生前空気が室外ＯＤから取り入れられて吸着ロータ３２に送られる。ダンパ６８，６９が図３１の破線で示されている状態になっているときには、吸着用ファン３４によって吸着後空気が調湿ホース３６Ａを通って室内ＩＤに吹出され、再生用ファン３５によって再生後空気が室外ＯＤに吹出されて、室内ＩＤの除湿が行われる。なお、ダンパ６６〜６９は、シャッタで構成してもよく、ケーシングの外に設けられてもよい。
【符号の説明】
【０１１２】
１  空気調和装置
２  室外機
４  室内機
３０，３０Ａ〜３０Ｃ，３０Ｅ  加湿ユニット（調湿ユニットの例）
３０Ｄ，３０Ｇ  除湿ユニット（調湿ユニットの例）
３０Ｆ，３０Ｈ  調湿ユニット
３１  再生用熱交換器
３２  吸着ロータ
３４  吸着用ファン
３４ａ  吸着用ファンロータ
３５  再生用ファン
３５ａ  再生用ファンロータ
３６  加湿ホース
３７  排気ホース
３８  給気ホース
５０，５０Ａ〜５０Ｃ  ケーシング
５２  吸着前空気取入口
５４，５７  再生前空気取入口
５４ａ  斜めカット部
５６  吸着用ファン吹出口
【先行技術文献】
【特許文献】
【０１１３】
【特許文献１】特開２０１４−１２９９５０号公報
【図１】
2018179362.tif 000003
【図２】
2018179362.tif 000004
【図３】
2018179362.tif 000005
【図４】
2018179362.tif 000006
【図５】
2018179362.tif 000007
【図６】
2018179362.tif 000008
【図７】
2018179362.tif 000009
【図８】
2018179362.tif 000010
【図９】
2018179362.tif 000011
【図１０】
2018179362.tif 000012
【図１１】
2018179362.tif 000013
【図１２】
2018179362.tif 000014
【図１３】
2018179362.tif 000015
【図１４】
2018179362.tif 000016
【図１５】
2018179362.tif 000017
【図１６】
2018179362.tif 000018
【図１７】
2018179362.tif 000019
【図１８】
2018179362.tif 000020
【図１９】
2018179362.tif 000021
【図２０】
2018179362.tif 000022
【図２１】
2018179362.tif 000023
【図２２】
2018179362.tif 000024
【図２３】
2018179362.tif 000025
【図２４】
2018179362.tif 000026
【図２５】
2018179362.tif 000027
【図２６】
2018179362.tif 000028
【図２７】
2018179362.tif 000029
【図２８】
2018179362.tif 000030
【図２９】
2018179362.tif 000031
【図３０】
2018179362.tif 000032
【図３１】
2018179362.tif 000033
【手続補正書】
【提出日】平成30年3月28日(2018.3.28)
【手続補正１】
【補正対象書類名】図面
【補正対象項目名】図２９
【補正方法】変更
【補正の内容】
【図２９】
2018179362.tif 000034